(57)【要約】      （修正有）【課題】剥がし操作が容易且つ迅速にでき、ラッピングされた食品等の被包装物の取り扱い性を向上させることができる包装用フィルムを提供する。【解決手段】陳列用商品１７は、トレイ５に収容された被包装物としての食品７をトレイ５ごと包装用フィルム１でラッピングしたものである。包装用フィルム１にはトレイ５の幅方向中央に対応する位置に巻き付け方向Ｆに延びる目視可能なライン３ａ、３ｂが設けられており、トレイ５の底面側で端部どうしが重なる状態で巻き付けられて熱溶着される。包装用フィルム１の後端部１Ｂのライン３ｂの終端部３ｂ−１は、先に巻き付けられた先端部１Ａのライン３ａと直線状に重ならず、幅方向にずれた状態となる。ユーザーは、位置ずれした終端部３ｂ−１によって、そこにめくり端１Ｂ−１があることを容易に認識することができる。【選択図】図７
0003230130.tif 000002
【実用新案登録請求の範囲】
【請求項１】
被包装物に巻き付けてラッピングする包装用フィルムにおいて、
ラッピングしたときに前記被包装物の幅内に位置し、前記巻き付け方向に沿って延びる目視可能なラインを有していることを特徴とする包装用フィルム。
【請求項２】
請求項１に記載した包装用フィルムにおいて、
前記巻き付け方向と直交する方向の幅が前記被包装物の最大幅より大きいことを特徴とする包装用フィルム。
【請求項３】
請求項１又は２に記載した包装用フィルムにおいて、
前記ラインが、ラッピングしたときに前記被包装物の幅の中央に位置するように設けられていることを特徴とする包装用フィルム。
【請求項４】
請求項１から３のいずれかに記載した包装用フィルムにおいて、
前記ラインが、直線とマークとの繰り返しから構成されていることを特徴とする包装用フィルム。
【請求項５】
請求項１から４のいずれかに記載した包装用フィルムにおいて、
ロール状に巻成されていることを特徴とする包装用フィルム。
【考案の詳細な説明】
【技術分野】
【０００１】
本考案は、トレイに収容された食品等をトレイごとラッピングする包装用フィルムに関するものである。
【背景技術】
【０００２】
スーパーマーケットやデパート等の生鮮食品売り場では、鮮魚や精肉、惣菜、青果物等の食品を合成樹脂製の軽量トレイに収容し、薄膜状の包装用フィルムでトレイごとラッピングした後に価格等を表示したラベルを貼り付けて並べることが行われている。
この種のラッピング作業は、パッカーやラッパーとも呼ばれる簡易なラップ包装機を用いて作業者が手動で行うようになっている。
ラップ包装機にはロール状の包装用フィルムがセットされており、最初、包装用フィルムを引き出して、食品を収容したトレイに巻き付ける作業が行われる。この場合、特許文献１の図６に示すように、包装用フィルムはトレイの底面側で引き出し方向の端部どうしが重なる長さに切断されて巻き付けられる。
【０００３】
包装用フィルムの幅は、一般的にトレイの最大幅よりも大きく、巻き付けたときにトレイの最大幅方向の両外側にはみ出す。はみ出した両端部はトレイの底面側に折り返され、その状態でトレイの底面側がラップ包装機のヒータ上で加熱されて包装用フィルムがまとめて熱で軽めに溶着されるようになっている。
【先行技術文献】
【特許文献】
【０００４】
【特許文献１】特開２００１−１２２３７１号公報
【考案の概要】
【考案が解決しようとする課題】
【０００５】
食品をトレイから取り出して使用する場合には、包装用フィルムを剥がす必要があるが、包装用フィルムは薄膜状で透明であるため、トレイの底面側における包装用フィルムの重なった部分の上側端（めくり端）と下側端との区別がつきにくく、剥がし操作が非常に面倒で食品の取り出しに時間がかかるという問題があった。
めくり端を容易に確認できない場合は包装用フィルムを任意の位置で引き裂くようなこともなされているが、このような場合には包装用フィルムが偏ってしまい、かえって開封操作が行い難くなることもある。
【０００６】
本考案は上記従来の問題点に着目して為されたものであり、剥がし操作が容易且つ迅速にできる包装用フィルムの提供を、その目的とする。
【課題を解決するための手段】
【０００７】
本考案は、上記目的を達成するために為されたものであり、請求項１の考案は、被包装物に巻き付けてラッピングする包装用フィルムにおいて、ラッピングしたときに前記被包装物の幅内に位置し、前記巻き付け方向に沿って延びる目視可能なラインを有していることを特徴とする包装用フィルムである。
【０００８】
請求項２の考案は、請求項１に記載した包装用フィルムにおいて、前記巻き付け方向と直交する方向の幅が前記被包装物の最大幅より大きいことを特徴とする包装用フィルムである。
【０００９】
請求項３の考案は、請求項１又は２に記載した包装用フィルムにおいて、前記ラインが、ラッピングしたときに前記被包装物の幅の中央に位置するように設けられていることを特徴とする包装用フィルムである。
【００１０】
請求項４の考案は、請求項１から３のいずれかに記載した包装用フィルムにおいて、前記ラインが、直線とマークとの繰り返しから構成されていることを特徴とする包装用フィルムである。
【００１１】
請求項５の考案は、請求項１から４のいずれかに記載した包装用フィルムにおいて、ロール状に巻成されていることを特徴とする包装用フィルムである。
【考案の効果】
【００１２】
本考案によれば、包装用フィルムの剥がし操作が容易且つ迅速にでき、ラッピングされた食品等の被包装物の取り扱い性を向上させることができる。
【図面の簡単な説明】
【００１３】
【図１】本考案の実施の形態に係る包装用フィルムの斜視図である。
【図２】図１で示した包装用フィルムの端面図である。
【図３】図１で示した包装用フィルムを用いたラッピング動作を示す図で、（ａ）はラッピングの初期段階を示す図、（ｂ）はトレイへの巻き付けが完了して包装用フィルムをカットする状態を示す図、（ｃ）はラッピング後にトレイの底面側を熱溶着する状態を示す図である。
【図４】図３のラッピング動作におけるトレイ底面側の包装用フィルムの重なり状態を示す概要断面図である。
【図５】図３のラッピング動作における左右端部の折り返しを示す図で、（ａ）は折り返しをする前の状態を示す概要断面図、（ｂ）は左右端部をトレイの底面側に折り返した状態を示す概要断面図である。
【図６】図１で示した包装用フィルムを用いてラッピングした陳列用商品を示す図で、（ａ）は上面図、（ｂ）は側面図である。
【図７】図６で示した陳列用商品の底面図である。
【図８】包装用フィルムに目視可能なラインを形成する他の例を示す概要側面図である。
【図９】包装用フィルムに形成する目視可能なラインの変形例を示す図である。
【図１０】本考案のその他の実施の形態に係る包装用フィルムの斜視図である。
【考案を実施するための形態】
【００１４】
以下、本考案の一実施の形態に係る包装用フィルムについて図面を参照して説明する。
図１に示すように、本実施の形態に係る薄膜状の包装用フィルム１は、ロール状に巻成されており、巻き付け方向（フィルムの引き出し方向Ｆ１を含む）Ｆに沿って延びる目視可能な赤色のライン３を有している。
包装用フィルム１の巻き付け方向Ｆと直交する方向の幅Ｗ１は、発泡ポリスチレン製等のトレイ５（図３（ａ）参照）の最大幅Ｗ２よりも大きく、ライン３は、包装用フィルム１の幅Ｗ１の中央で且つトレイ５の最大幅Ｗ２の中央に位置するように設けられている。
すなわち、ライン３はラッピングしたときにトレイ５の幅内（ここでは幅の中央）に位置するように設けられている。
【００１５】
本実施の形態ではライン３は、図２に示すように、物品としての食品７（図３（ａ）参照）を覆う面１ａと反対側の面１ｂに印刷、印字又は着色（マーキング）等の手段により形成されている。図２では包装用フィルム１の厚みを誇張表示している。
被包装物は食品７と、この食品７を収容するトレイ５とからなる。
【００１６】
図３〜図５に基づいて、包装用フィルム１を用いた手動によるラッピング動作について説明する。なお、図４、図５ではトレイ５内の食品７は省略し、図５では包装用フィルム１の断面表示を省略している。
【００１７】
図３（ａ）に示すように、まず、食品７を収容したトレイ５がラップ包装機の固定台１１に載置される。作業者はラップ包装機にセットされたロール状の包装用フィルム１の先端側を二点鎖線で示すように上方に引き出し、トレイ５の図中右端側が上になるように斜めに浮かせた状態で包装用フィルム１の先端部がトレイ５の底面の一部を覆うように手で押えて巻き付ける。
【００１８】
次に作業者は、図３（ｂ）に示すように、トレイ５を図中左側に移動させる。このとき、包装用フィルム１にはテンションが掛かるため、包装用フィルム１は張り詰められ、いわゆるストレッチ包装がなされる。
包装用フィルム１は、トレイ５の底面で先に巻き付けられた先端部と重なる位置でラップ包装機のカッター１３で切断される。すなわち、巻き付け方向Ｆの端部どうしがトレイ５の底面側で重なる巻き付け長さで切断される。
【００１９】
図４に示すように、カッター１３で切断された包装用フィルム１の後端部１Ｂは先端部１Ａの上に重なった状態で密着して貼り付く。なお図４等では分り易くするために包装用フィルム１の厚みを誇張表示している。
包装用フィルム１の後端部１Ｂが貼り付けられると、包装用フィルム１の巻き付け方向Ｆと直交する方向の幅Ｗ１はトレイ５の最大幅Ｗ２よりも大きいので、図５（ａ）に示すように、包装用フィルム１はトレイ５の幅方向に筒状に突出した状態となる。作業者は、図５（ｂ）に示すように、突出した包装用フィルム１の左右端部１Ｃ、１Ｄをトレイ５の底面側に折り返してまとめる。この左右端部１Ｃ、１Ｄの折り返し部分は複数層が皺くちゃになった状態でまとめられるが、包装用フィルム１の単層どうしのような密着状態は得られない。
【００２０】
このため、トレイ５の底面側における包装用フィルム１の先端部１Ａ、後端部１Ｂ及び折り返された左右端部１Ｃ、１Ｄがほつれないように、左右端部１Ｃ、１Ｄを折り返した状態でラップ包装機のヒータ１５上に載せ、これらをまとめて熱で軽く溶着する（図３（ｃ）参照）。
これにより、包装用フィルム１を用いてラッピングした陳列用商品１７が得られる。
【００２１】
図６は、陳列用商品１７を示している。
陳列用商品１７は、トレイ５に収容された食品７を包装用フィルム１でトレイ５ごとラッピングした構成を有している。トレイ５は内側に突出する複数のリブを有している。
上記のように、包装用フィルム１は目視可能なライン３を有しているので、ラッピング後には、トレイ５の上面側、両側面側及び底面側における最大幅Ｗ２の中央部に、ライン３（ハッチングで表示）が存在することになる。
【００２２】
図７は、陳列用商品１７をトレイ５の底面側から見た図である。図７において、符号３ａはトレイ５の底面に最初に巻き付けられた包装用フィルム１の先端部１Ａにおけるラインを、３ｂは先端部１Ａの上に重ねて巻き付けられた包装用フィルム１の後端部１Ｂにおけるラインを示している。
図から明らかなように、ライン３ｂの終端部３ｂ−１は、ライン３ａと直線状に重ならず、必ずトレイ５の幅方向にずれた状態となる。
これは、包装用フィルム１にテンションを掛けた状態でカットしたり、加熱したりすると、収縮力等が外乱的に作用してライン３ｂの終端部３ｂ−１がランダムにずれるからである。
本考案は、このラッピング位置ずれ特性に着目して具体化されたものである。
【００２３】
ユーザーは、位置ずれした終端部３ｂ−１によってそこにめくり端１Ｂ−１があることを容易に視認することができる。符号１Ａ−１は先端部１Ａの端を示している。
皺くちゃにまとめられた左右の折り返し部１Ｃ、１Ｄを引き剥がした後、めくり端１Ｂ−１をめくることにより容易に包装を剥がすことができる。
このようにラッピング表面にライン３が存在することにより、包装解除がし易い商品であることをユーザーに認識させるマークとしても機能する。
【００２４】
上記では予めライン３を有する包装用フィルム１を用いる例を示したが、本考案はこれに限定されない。
図８に示すように、ライン３を形成するライン形成手段２１を、例えばラップ包装機の固定台１１の下側に配置し、ラインが形成されていない包装用フィルム２３にその使用の都度ライン３を形成するようにしてもよい。この場合、無地の包装用フィルム２３にライン３が形成されると同時に本考案の包装用フィルム１が形成されることになる。
ライン形成手段２１としては、印刷、印字、着色等の手段を採用できる。ライン形成手段２１は常時ライン形成可能に設けられていてもよく、使用時のみ上昇して包装用フィルム２３に接触してライン３を形成する構成でもよい。
【００２５】
上記では直線状のライン３を例示したが、図９に示すように、直線３Ａと、例えば企業のロゴマークからなるマーク３Ｂとが繰り返されるライン形状としてもよい。マーク３Ｂとしては、図形だけでなく文字でもよく、さらには図形と文字の組み合わせでもよい。
また、本考案の包装用フィルムは上記したようなラップ包装機を用いて包装する場合に用いるほか、図１０に示すように切断用刃２５を備えた収容箱２７に収納して、家庭等においてラップ包装機を用いずに手動で食品等の被包装物を包装する場合に使用してもよい。なお、図１０に示す包装用フィルム１ｃのライン３ｃは同図において上面側に形成されている。
【００２６】
以上、本考案の実施の形態について詳述してきたが、具体的構成は、この実施の形態に限られるものではなく、本考案の要旨を逸脱しない範囲における設計の変更などがあっても考案に含まれる。
ラインの色は赤色以外であってもよい。ラインの色の異なる包装用フィルムを準備して、包装する物品によってラインの色を変えてもよい。例えば、惣菜を包装する場合は赤色のラインの包装用フィルムを用い、鮮魚は青色のライン、青果物は緑のラインをそれぞれ有する包装用フィルムを用いて包装することで、スーパーマーケット等において顧客が一目で商品の種類を見分けることが可能となる。
【００２７】
また、上記の実施の形態ではライン３をトレイ５の最大幅Ｗ２の中央に位置するように形成したが、左右のいずれかに偏った位置に形成してもよい。
また、ライン３を包装用フィルム１の被包装物を覆う面１ａと反対側の面１ｂに形成したが、被包装物を覆う面１ａに形成してもよい。
また、ライン３を印刷等の手段で形成したが、非透明の直線状のシールを貼り付けて形成するようにしてもよい。
また、被包装物は物品と、この物品を収容するトレイに限定されず、食品等の物品のみを被包装物としてもよい。すなわち、物品をトレイに収容せず、食品等そのものに本考案の包装用フィルムを直接巻き付けて包装してもよい。また、被包装物は食品以外の物品であってもよいのは勿論である。
【符号の説明】
【００２８】
１…包装用フィルム      １Ａ…先端部    １Ｂ…後端部          １Ｂ−１…めくり端
１Ｃ、１Ｄ…左右の折り返し部            ３…ライン            ３Ａ…直線
３ａ…先端部におけるライン              ３Ｂ…マーク
３ｂ…後端部におけるライン              ３ｂ−１…終端部      ５…トレイ
７…食品          １７…陳列用商品    ２１…ライン形成手段
Ｆ…巻き付け方向    Ｗ１…巻き付け方向と直交する方向の幅    Ｗ２…最大幅
【図１】
0003230130.tif 000003
【図２】
0003230130.tif 000004
【図３】
0003230130.tif 000005
【図４】
0003230130.tif 000006
【図５】
0003230130.tif 000007
【図６】
0003230130.tif 000008
【図７】
0003230130.tif 000009
【図８】
0003230130.tif 000010
【図９】
0003230130.tif 000011
【図１０】
0003230130.tif 000012
【手続補正書】
【提出日】令和2年10月29日(2020.10.29)
【手続補正１】
【補正対象書類名】実用新案登録請求の範囲
【補正対象項目名】請求項１
【補正方法】変更
【補正の内容】
【請求項１】
被包装物に巻き付け、巻き付け方向の先端部と後端部が重なるように切断してラッピングする包装用フィルムにおいて、
巻き付け方向に沿って延びる目視可能なラインを前記包装用フィルム面上に有していることを特徴とする包装用フィルム。
【手続補正２】
【補正対象書類名】実用新案登録請求の範囲
【補正対象項目名】請求項３
【補正方法】変更
【補正の内容】
【請求項３】
請求項１又は２に記載した包装用フィルムにおいて、
前記ラインが、前記巻き付け方向と直交する方向の幅の中央に位置するように設けられていることを特徴とする包装用フィルム。
【手続補正３】
【補正対象書類名】明細書
【補正対象項目名】０００７
【補正方法】変更
【補正の内容】
【０００７】
本考案は、上記目的を達成するために為されたものであり、請求項１の考案は、被包装物に巻き付け、巻き付け方向の先端部と後端部が重なるように切断してラッピングする包装用フィルムにおいて、巻き付け方向に沿って延びる目視可能なラインを前記包装用フィルム面上に有していることを特徴とする包装用フィルムである。
【手続補正４】
【補正対象書類名】明細書
【補正対象項目名】０００９
【補正方法】変更
【補正の内容】
【０００９】
請求項３の考案は、請求項１又は２に記載した包装用フィルムにおいて、前記ラインが、前記巻き付け方向と直交する方向の幅の中央に位置するように設けられていることを特徴とする包装用フィルムである。